(57)【要約】【課題】  設置の際に位置調整を行う必要がなく、かつ設置スペースを抑えることのできる自動扉の施錠装置を提供することを目的とする。【解決手段】  自動扉のある建物の出入り口ａの上辺部に設けられたストッパー６及びハンガー４の何れか一方にストッパー６とハンガー４を互いに固定するための固定手段を備え、他方に該固定手段に固定される被固定手段を備えており、ストッパー６とハンガー４が接触する位置において固定手段及び被固定手段を用いてストッパー６とハンガー４とを互いに固定させることで扉本体１を施錠する。【選択図】        図１
2006348573.tif 000002
【特許請求の範囲】
【請求項１】
扉本体と、扉本体１の上辺部に所定の間隔を空けて取付けられて建物の出入り口の上辺部に沿って設けられたレール上に載せて走行自在に扉本体を吊持する一対のハンガーと、建物の出入り口の上辺部両端に設けられて所定の位置でハンガーと接触することでハンガーの動きを制限するストッパーとを備えた自動扉に用いられる施錠装置であって、ストッパー及びハンガーの何れか一方に設けられる固定手段と、ストッパー及びハンガーの他方に設けられて該固定手段に固定される被固定手段とを備えたことを特徴とする施錠装置。
【請求項２】
前記固定手段は、ハンガーに設けられた施錠部材であって、前記被固定手段は、ストッパーに設けられて前記施錠部材と嵌合する嵌合部であることを特徴とする請求項１記載の施錠装置。
【請求項３】
前記固定手段は、ストッパーに設けられた施錠部材であって、前記被固定手段は、ハンガーに設けられて前記施錠部材と係合する係合部であることを特徴とする請求項１記載の施錠装置。
【請求項４】
前記固定手段は、ハンガーのストッパーと対向する面に設けられた磁性体であって、前記被固定手段は、ストッパーの磁性体と対向する位置に設けられた電磁石であることを特徴とする請求項１記載の施錠装置。
【請求項５】
扉本体と、扉本体の上辺部に所定の間隔を空けて取付けられて建物の出入り口の上辺部に沿って設けられたレール上に載せて走行自在に扉本体を吊持する一対のハンガーと、建物の出入り口の上辺部両端に設けられて所定の位置でハンガーと接触することでハンガーの動きを制限するストッパーとを備えた自動扉であって、請求項１〜４のいずれかの施錠装置を備えたことを特徴とする自動扉。
【発明の詳細な説明】
【技術分野】
【０００１】
本発明は、施錠装置並びに自動扉に関するものである。
【背景技術】
【０００２】
一般に、自動扉は扉に近付いてきた人間をセンサーが感知すると、信号を発して駆動装置を駆動して扉を開放し、人間がセンサーの検知範囲から外れると駆動装置を逆転して扉を閉めるものであり、停電や故障等により当該駆動装置が作動しなくなった場合には、扉は手で開けることができるようになっている。そのため、夜間や休日等といった自動扉を使用しない期間においては自動扉の電源を落とすため、扉が手で開けられることのないように施錠装置が取付けられる。
【０００３】
従来の施錠装置として、図５に示すようなソレノイドの駆動力を用いて施錠する施錠装置が提供されている（特許文献１参照）。この施錠装置は、施錠装置本体５０を、施錠装置本体５０の両端に設けられた取付金具５１を用いて、建物の出入り口ａの上辺部において施錠に適切な位置に設置し、施錠装置本体５０に設けられたソレノイド５２の駆動力を利用してソレノイド５２と連動する錠ピン５３を上下動させ、この錠ピン５３を扉本体１を開閉自在に吊持するハンガー５４に設けられた錠孔５５に嵌合することで、扉本体１が閉じられている状態において扉本体１を施錠するものである。
【特許文献１】実開平６−２０８１６号公報
【発明の開示】
【発明が解決しようとする課題】
【０００４】
しかしながら従来の施錠装置の構造では、錠ピン５３をハンガー５４に設けられた錠孔５５に嵌合して施錠を行うため、施錠装置本体５０を施錠に適した位置に設置して、かつ錠ピン５３の施錠時における嵌合状態を確認する必要があり、施錠装置の取付けに時間を要してしまう。また、扉本体１の幅やハンガー５４の取付位置によって施錠装置本体５０を設置する位置が異なるために、自動扉の構成に応じた位置調整が必要となり、取付作業が煩雑となる問題があった。
【０００５】
本発明は上記問題に鑑みて為されたもので、施錠装置本体の取付位置の調整を行うことなく扉本体を施錠することができ、さらに設置スペースを抑えた施錠装置並びに自動扉を提供することを目的とする。
【課題を解決するための手段】
【０００６】
請求項１の発明は、上記目的を達成するために、扉本体と、扉本体の上辺部に所定の間隔を空けて取付けられて建物の出入り口の上辺部に沿って設けられたレール上に載せて走行自在に扉本体を吊持する一対のハンガーと、建物の出入り口の上辺部両端に設けられて所定の位置でハンガーと接触することでハンガーの動きを制限するストッパーとを備えた自動扉に用いられる施錠装置であって、ストッパー及びハンガーの何れか一方に設けられる固定手段と、ストッパー及びハンガーの他方に設けられて該固定手段に固定される被固定手段とを備えている。
【０００７】
請求項２の発明は、上記目的を達成するために、請求項１記載の施錠装置において、前記固定手段として施錠部材をハンガーに設け、前記被固定手段として嵌合部をストッパーに設けている。
【０００８】
請求項３の発明は、上記目的を達成するために、請求項１記載の施錠装置において、前記固定手段として施錠部材をストッパーに設け、前記被固定手段として係合部をハンガーに設けている。
【０００９】
請求項４の発明は、上記目的を達成するために、請求項１記載の施錠装置において、前記固定手段としてハンガーのストッパーと対向する面に磁性体を設け、前記被固定手段としてストッパーの磁性体と対向する位置に電磁石を設けている。
【００１０】
請求項５の発明は、上記目的を達成するために、扉本体と、扉本体の上辺部に所定の間隔を空けて取付けられて建物の出入り口の上辺部に沿って設けられたレール上に載せて扉本体を吊持する一対のハンガーと、建物の出入り口の上辺両端部に設けられて所定の位置でハンガーと接触することでハンガーの動きを制限するストッパーとを備えた自動扉に、請求項１〜４のいずれかの施錠装置を備えている。
【発明の効果】
【００１１】
本発明によれば、自動扉に備えられたストッパー及びハンガーに固定手段及び被固定手段をもたせることで、施錠装置を別個取付ける必要がなく施錠装置の設置スペースを抑えることができる。またストッパーとハンガーの位置関係が扉本体が閉じられている状態において一定であることを利用した施錠であるため、施錠装置の設置位置の調整といった煩雑な作業が不必要となり施工が容易となる。
【発明を実施するための最良の形態】
【００１２】
本発明の実施形態を説明するに当たり、まず本発明に係る自動扉の一例について図４を用いて説明する。図４は建物の出入り口ａを開閉する自動扉の上部外観図を示している。この自動扉は、扉本体１の上辺部に所定の間隔を空けて設けられて扉本体１を吊持する２個のハンガー４を、出入り口ａの上辺部に沿って設けられたレール２上に載せ、該ハンガー４をレール２と平行に設けられたベルト３ａによりレール２上を往復駆動走行させて扉本体１を開閉させるように構成されている。前記ベルト３ａは出入り口ａの上辺部に設けられたエンジンケース３の中に収納され、エンジンケース３の内部には一対のプーリ３ｂが所定の間隔を空けて設けられ、両プーリ３ｂの間に該ベルト３ａが掛け渡してある。プーリ３ｂの一方は駆動モータ３ｃと連絡しており、この駆動モータ３ｃの駆動によりベルト３ａ及びプーリ３ｂが正転又は逆転するように構成してある。ベルト３ａは前記ハンガー４と連結されているため、ベルト３ａの駆動に伴ってハンガー４がレール２上を往復走行し、扉本体１が開閉自在になっている。またレール２の両端には、扉本体１の可動領域を定めるためにストッパー６が設けられており、このストッパー６とハンガー４が接触することで扉本体１の動きを制限している。
（実施形態１）
以下、本発明の第一の実施形態について図１を用いて説明する。本発明は上記のハンガー４及びストッパー６にそれぞれ扉本体１を施錠するための固定手段、被固定手段を設けることで施錠機能をもたせており、本実施形態では、ハンガー４に扉本体１を施錠するための固定手段として施錠部材７が取付けられ、ストッパー６に扉本体１を施錠するための被固定手段として、施錠部材７を嵌合させるための嵌合部８が設けられている。この施錠部材７が嵌合部８に嵌合することでハンガー４とストッパー６が固定され、したがって扉本体１が施錠される。
【００１３】
ストッパー６は略直方体形状に形成され、ストッパーの内側は空洞となっている。またストッパー６の外側のハンガー４と対向する面には、ハンガー４がストッパー６に接触する際の衝撃を和らげるためのストッパーゴム６ｂが設けられている。ストッパー６の内部にはソレノイド１０が設けられ、該ソレノイド１０は円筒状に形成されたボビンに銅線を巻いて通電により磁気を発生するコイル部１０ａと、このコイル部１０ａ内を図１における上下に進退する棒状のプランジャ（可動鉄芯）１０ｂにより構成されている。プランジャ１０ｂは、ストッパー６の前記上側の面に設けられた穴に挿通されており、コイル部１０ａが通電によって励磁されることで、前記下側方向に吸引されるようになっている。またプランジャ１０ｂがストッパー６から抜け出ないように抜け止め金具９が設けられている。
【００１４】
抜け止め金具９はＬ字状に形成され、一端には穴が設けられており、この穴の径よりも大きい径のネジ頭を持つネジを挿通してプランジャ１０ｂの前記上側の先端に取付けて固定する。他端には前記上下方向に長い長穴が設けられており、この長穴の短い方の径よりも大きい径のネジ頭を持つネジを挿通してストッパー６の外面に取付けて抜け止め金具９が固定され、抜け止め金具９が長穴の長手側の長さの分だけ前記上下方向に移動できるようになっている。この抜け止め金具９のプランジャ１０ｂ側の先端部とストッパー６の前記上側の面との間に圧縮状態で保持されているプランジャ１０ｂに外装されたコイルバネ１０ｃが、コイル部１０ａが通電していない状態においてプランジャ１０ｂがコイルバネ１０ｃのばね力によって前記上側方向に弾性付勢されている。
【００１５】
施錠部材７は金属板を折曲させることで形成され、ハンガー４に取付けるための取付部７ａと、ストッパー６の嵌合部８に嵌合させるための突起部７ｂと、プランジャ１０ｂの前記上側先端部と接触する接触部７ｃとで構成されている。取付部７ａはハンガー４を挟んで対向する一対の取付片から成り、それぞれ取付片の中央に穴が設けられている。この穴をハンガー４の先端部において設けられた穴と一致させ、ボルト及びナットを用いてハンガー４に固定することで、取付部７ａを支点として施錠部材７が回動自在となっている。突起部７ｂは金属板の水平部分において前記下方に略Ｖ字形状に折曲して形成されており、ストッパー６の嵌合部８に嵌合した状態でハンガー４を前記左右方向に移動させようとしても外れないようになっている。接触部７ｃは施錠部材７のストッパー６側の先端部に設けられ、プランジャ１０ｂの前記上側の先端部が接触するようになっており、プランジャ１０ｂの前記上下方向の移動に伴ってこの接触部７ｃが前記上下方向に移動し、したがって施錠部材７全体が動くようになっている。
【００１６】
嵌合部８はストッパー６の前記上側の面に突起部７ｂが嵌合できる大きさの穴を設けることで形成され、扉本体１が完全に閉鎖されている状態、すなわちハンガー４とストッパー６が接触している状態において突起部７ｂが嵌合する位置に設けてある。
【００１７】
以下に本実施形態の施錠装置の動作説明をする。扉本体１を施錠する場合、扉本体１を閉鎖する方向に走行させると、扉本体１が閉鎖する直前、すなわちハンガー４とストッパー６が接触する直前において、ハンガー４に取付けられた施錠部材７の突起部７ｂがストッパー６の角に接触し、このストッパー６の角に沿って施錠部７ｂが押し上げられる。そしてハンガー４とストッパー６が接触する時点で、突起部７ｂがストッパー６の嵌合部８に案内されて嵌合することでハンガー４がストッパー６に固定され、扉本体１が施錠される。ここで施錠の際には、ソレノイド１０のプランジャ１０ｂが突起部７ｂの嵌合の妨げとなるため、あらかじめソレノイド１０のコイル部１０ａに通電することでプランジャ１０ｂを吸引させておく。扉本体１を解錠する場合は、コイル部１０ａの通電を解除すると、プランジャ１０ｂに取付けられたコイルバネ１０ｃの弾性によってプランジャ１０ｂが前記上側方向に移動することを利用して、施錠部材７の接触部７ｃをプランジャ１０ｂによって押し上げて施錠部７ｂを嵌合部８から外すことで行われる。
【００１８】
また施錠を行わない場合は、コイル部１０ａは通電されておらず、プランジャ１０ｂがコイルバネ１０ｃの弾性によって前記上側方向に移動している状態にあるので、ハンガー４とストッパー６が接触している時点で、ストッパー６の角によって案内され押し上げられた施錠部材７の接触部７ｃが、このプランジャ１０ｂの前記上側の先端部に引っ掛かり、したがって突起部７ｂが嵌合部８に嵌合しないようになっているために自動扉の動作の妨げとならない。
【００１９】
ここで本実施形態では施錠部７ｂと抜け止め金具９は金属により形成されているが、他の材料で形成しても構わず、金属に限定される必要はない。また施錠部材７の突起部７ｂについても、略Ｖ字形状に限定される必要はなく、嵌合が可能であれば他の形状でも構わない。
（実施形態２）
以下、本発明の第二の実施形態について図２を用いて説明する。本実施形態の構成は第一の実施形態とほぼ同じであるが、図２に示すように、抜け止め金具９のプランジャ１０ｂ側の先端部を、ハンガー４に向かう方向に延設し、ハンガー４と対向する先端部において折曲してハンガー４に引掛ける引掛け部９ａを設けることで、抜け止め金具９を施錠部材７に兼用して固定手段となっている。またハンガー４には、嵌合部８の代わりとなる被固定手段として抜け止め金具９の引掛け部９ａと係合する係合部１１が設けられている。この抜け止め金具９の引掛け部９ａは、コイル部１０ａが通電していない状態において、プランジャ１０ｂに取付けられたコイルバネ１０ｃの弾性によって押し上げられているためにハンガー４の係合部１１に係合しないようになっている。
【００２０】
この施錠装置で扉本体１を施錠する場合、ハンガー４とストッパー６を接触させることで扉本体１を閉鎖し、この時点でコイル部１０ａに通電することでプランジャ１０ｂを吸引して、抜け止め金具９の引掛け部９ａとハンガー４の係合部１１とを係合させる。これによりハンガー４とストッパー６が固定されて扉本体１が施錠される。扉本体１を解錠する場合は、コイル部１０ａの通電を解除することで、コイルバネ１０ｃの弾性を利用して抜け止め金具９を押し上げ、抜け止め金具９の引掛け部９ａを係合部１１から外すことで行われる。ここで抜け止め金具９は第一の実施形態と同様に金属に限定される必要はなく、他の材料で形成されてもよい。
（実施形態３）
以下、本発明の第三の実施形態について図３を用いて説明する。本実施形態では、図３に示すように、固定手段としてハンガー４のストッパー６と対向する面に棒状の磁性体１２を設け、被固定手段としてコイル部１３をストッパー６の内部に設け、これら磁性体１２及びコイル部１３により電磁石を構成している。ここでストッパー６の磁性体１２と対向する面及びストッパーゴム６ｂには穴が設けられており、磁性体１２がストッパー６の内部に挿通するように形成されている。磁性体１２はストッパー６の内部に挿通している状態において、コイル部１３に通電することにより発生する磁力によって吸引される。
【００２１】
この施錠装置で扉本体１を施錠する場合、ハンガー４とストッパー６を接触させることで扉本体１を閉鎖し、この時点でコイル部１３を通電することで磁性体１２を吸引し、ハンガー４とストッパー６を固定することで扉本体１が施錠される。扉本体１を解錠するには、コイル部１３の通電を止めて磁性体１２の吸引を解き、磁性体１２をコイル部１３から外すことで行われる。
【図面の簡単な説明】
【００２２】
【図１】本発明の第一の実施形態を示す断面図である。
【図２】本発明の第二の実施形態を示す断面図である。
【図３】本発明の第三の実施形態を示す断面図である。
【図４】本発明の施錠装置に係る自動扉の上部外観図である。
【図５】従来の自動扉の施錠装置を示す断面図である。
【符号の説明】
【００２３】
１  扉本体
４  ハンガー
６  ストッパー
７  施錠部材
８  嵌合部
【図１】
2006348573.tif 000003
【図２】
2006348573.tif 000004
【図３】
2006348573.tif 000005
【図４】
2006348573.tif 000006
【図５】
2006348573.tif 000007